(57)【要約】【課題】高輝度かつコンパクトなプロジェクタを提供する。【解決手段】二次元状に配列された複数の発光部を有するＬＤ光源１０Ｒ，１０Ｇ，１０Ｂ及びＬＤ光源からの光をより均一な強度分布を有する光に変換する機能を有するインテグレータロッド３０Ｒ，３０Ｇ，３０Ｂを有する照明装置１００Ｒ，１００Ｇ，１００Ｂと、各照明装置からの光を画像情報に応じて変調する液晶装置４００Ｒ，４００Ｇ，４００Ｂと、投写光学系６００とを備えるプロジェクタ１０００。ＬＤ光源１０Ｒ，１０Ｇ，１０Ｂは、液晶装置における画像形成領域Ｓの大きさよりも大きな面積を有し、インテグレータロッド３０Ｒ，３０Ｇ，３０Ｂは、光路後段に向けて細くなるようなテーパ形状を有し、光射出面が液晶装置における画像形成領域Ｓと略同一の平面形状を有する。【選択図】図１
2007333774.tif 000002
【特許請求の範囲】
【請求項１】
二次元状に配列された複数の発光部を有するＬＤ光源及び前記ＬＤ光源からの光をより均一な強度分布を有する光に変換する機能を有するインテグレータロッドを有する照明装置と、
前記照明装置からの光を画像情報に応じて変調する電気光学変調装置と、
前記電気光学変調装置により変調された光を投写する投写光学系とを備えるプロジェクタであって、
前記ＬＤ光源は、前記電気光学変調装置における画像形成領域の大きさよりも大きな面積を有し、
前記インテグレータロッドは、光路後段に向けて細くなるようなテーパ形状を有し、光射出面が前記電気光学変調装置における画像形成領域と略同一の平面形状を有することを特徴とするプロジェクタ。
【請求項２】
請求項１に記載のプロジェクタにおいて、
前記ＬＤ光源は、各発光部に対応して配設され、各発光部からの光の角度を変換して射出する角度変換素子をさらに有することを特徴とするプロジェクタ。
【請求項３】
請求項１又は２に記載のプロジェクタにおいて、
前記インテグレータロッドは中実のインテグレータロッドであり、
前記インテグレータロッドに配設され、前記インテグレータロッドに対して超音波からなる音響波を供給することにより前記インテグレータロッドに定在波を形成する音響波供給装置と、
前記定在波の周期が６０Ｈｚ以上の周波数で変調されるように前記音響波供給装置を制御する制御装置とをさらに備えることを特徴とするプロジェクタ。
【請求項４】
請求項３に記載のプロジェクタにおいて、
前記音響波供給装置は、前記インテグレータロッドに対して密着して配設されていることを特徴とするプロジェクタ。
【請求項５】
請求項３に記載のプロジェクタにおいて、
前記音響波供給装置は、前記インテグレータロッドの媒質の屈折率よりも小さな屈折率を有する超音波良伝達物質を介して前記インテグレータロッドに配設されていることを特徴とするプロジェクタ。
【請求項６】
請求項１〜５のいずれかに記載のプロジェクタにおいて、
前記インテグレータロッドの光射出側に配置され、前記インテグレータロッドからの光をさらに均一な強度分布を有する光に変換する光均一化光学素子をさらに備えることを特徴とするプロジェクタ。
【請求項７】
請求項６に記載のプロジェクタにおいて、
前記光均一化光学素子は、前記インテグレータロッドから射出される光の面内光強度分布に応じて光透過率が調整された光透過率調整部材又は前記インテグレータロッドから射出される光を拡散させる光拡散部材であることを特徴とするプロジェクタ。
【請求項８】
請求項１〜７のいずれかに記載のプロジェクタにおいて、
前記照明装置として、複数の色光を射出する複数の照明装置を備え、
前記電気光学変調装置として、前記複数の照明装置から射出される複数の色光をそれぞれの色光に対応する画像情報に応じて変調する複数の電気光学変調装置を備え、
前記複数の電気光学変調装置で変調されたそれぞれの色光を合成するクロスダイクロイックプリズムをさらに備えることを特徴とするプロジェクタ。
【発明の詳細な説明】
【技術分野】
【０００１】
本発明は、プロジェクタに関する。
【背景技術】
【０００２】
近年、光源としてＬＤ（レーザダイオード）光源を用いたプロジェクタが知られている（例えば、特許文献１参照。）。ＬＤ光源を用いたプロジェクタは、光源として高圧水銀ランプなどの光源ランプを用いたプロジェクタに比べて、コンパクトになるという特長を有する。
【０００３】
【特許文献１】特開２００３−６６３６９号公報
【発明の開示】
【発明が解決しようとする課題】
【０００４】
しかしながら、ＬＤ光源を用いたプロジェクタにおいては、ＬＤ光源は高圧水銀ランプなどの光源ランプに比べて出力が低いため、プロジェクタの高輝度化を図るのが困難である。
【０００５】
なお、プロジェクタに用いる光源として、二次元状に配列された複数の発光部を有する大型の面状ＬＤ光源を用いることも考えられる。この場合、照明装置から射出される照明光束の総光量を増大することが可能となるため、プロジェクタの高輝度化を図ることが可能となる。しかしながら、電気光学変調装置として、大型の面状ＬＤ光源の大きさに対応させて大きな画像形成領域を有する電気光学変調装置を用いなければならないため、コンパクトなプロジェクタを実現することが容易ではなくなる。
【０００６】
すなわち、従来のＬＤ光源を用いたプロジェクタにおいては、高輝度かつコンパクトなプロジェクタを実現することが容易ではなかった。
【０００７】
そこで、本発明は、このような問題を解決するためになされたもので、高輝度かつコンパクトなプロジェクタを提供することを目的とする。
【課題を解決するための手段】
【０００８】
本発明のプロジェクタは、二次元状に配列された複数の発光部を有するＬＤ光源及び前記ＬＤ光源からの光をより均一な強度分布を有する光に変換する機能を有するインテグレータロッドを有する照明装置と、前記照明装置からの光を画像情報に応じて変調する電気光学変調装置と、前記電気光学変調装置により変調された光を投写する投写光学系とを備えるプロジェクタであって、前記ＬＤ光源は、前記電気光学変調装置における画像形成領域の大きさよりも大きな面積を有し、前記インテグレータロッドは、光路後段に向けて細くなるようなテーパ形状を有し、光射出面が前記電気光学変調装置における画像形成領域と略同一の平面形状を有することを特徴とする。
【０００９】
このため、本発明のプロジェクタによれば、光源として、二次元状に配列された複数の発光部を有する大型の面状ＬＤ光源を用いているため、照明装置から射出される照明光束の総光量を増大することが可能となり、プロジェクタの高輝度化を図ることが可能となる。
【００１０】
また、本発明のプロジェクタによれば、光路後段に向けて細くなるようなテーパ形状を有するインテグレータロッドを備えているため、インテグレータロッドに入射する光の大きさに比べてインテグレータロッドから射出される光の大きさを小さなものにすることができる。すなわち、プロジェクタの高輝度化を図るために大型の面状ＬＤ光源を用いたとしても、インテグレータロッドから射出される光の断面積を小さなものとすることができる。その結果、小さな画像形成領域を有する電気光学変調装置を用いることが可能となるため、コンパクトなプロジェクタを実現することが可能となる。
【００１１】
したがって、本発明のプロジェクタは、高輝度かつコンパクトなプロジェクタとなる。
【００１２】
また、本発明のプロジェクタによれば、インテグレータロッドの働きによって、画像形成領域に照射される光の面内光強度分布を比較的均一なものとすることが可能となる。
【００１３】
本発明のプロジェクタにおいては、前記インテグレータロッドは、中空のインテグレータロッドであってもよいし、中実のインテグレータロッドであってもよい。
【００１４】
中空のインテグレータロッドとしては、例えば４枚の反射ミラーにおける反射面を内側に向けて貼り合わせた筒状のライトトンネルなどを好適に用いることができる。また、中実のインテグレータロッドとしては、例えば内面全反射タイプの中実のロッド部材（ガラスロッド）などを好適に用いることができる。
【００１５】
本発明のプロジェクタにおいては、前記ＬＤ光源は、各発光部に対応して配設され、各発光部からの光の角度を変換して射出する角度変換素子をさらに有することが好ましい。
【００１６】
このように構成することにより、角度変換素子の機能によって、ＬＤ光源の各発光部から射出される発散光の角度を変換することが可能となる。これにより、インテグレータロッドに入射する光を全反射条件を満たすように変換することが可能となるため、インテグレータロッドにおける光損失を抑制することが可能となる。
【００１７】
本発明のプロジェクタにおいては、前記インテグレータロッドは中実のインテグレータロッドであり、前記インテグレータロッドに配設され、前記インテグレータロッドに対して超音波からなる音響波を供給することにより前記インテグレータロッドに定在波を形成する音響波供給装置と、前記定在波の周期が６０Ｈｚ以上の周波数で変調されるように前記音響波供給装置を制御する制御装置とをさらに備えることが好ましい。
【００１８】
このように構成することにより、ＬＤ光源における各発光部からの光が互いに干渉してスペックルノイズが発生したとしても、このようなスペックルノイズを人間の目に見えない速さで高速変調することで画像形成領域におけるスペックルノイズに起因した照度むらを低減することが可能となる。
【００１９】
本発明のプロジェクタにおいては、前記音響波供給装置は、前記インテグレータロッドに対して密着して配設されていることが好ましい。
【００２０】
このように構成することにより、インテグレータロッドに音響波を効率的に供給することが可能となり、少ないエネルギーでかつ大きな効果をもって画像形成領域におけるスペックルノイズに起因した照度むらを低減することが可能となる。
【００２１】
本発明のプロジェクタにおいては、前記音響波供給装置は、前記インテグレータロッドの媒質の屈折率よりも小さな屈折率を有する超音波良伝達物質を介して前記インテグレータロッドに配設されていることが好ましい。
【００２２】
このように構成することによっても、インテグレータロッドに音響波を効率的に供給することが可能となり、少ないエネルギーでかつ大きな効果をもって画像形成領域におけるスペックルノイズに起因した照度むらを低減することが可能となる。
また、超音波良伝達物質の屈折率は、インテグレータロッドの媒質の屈折率よりも小さいため、ＬＤ光源からの光がインテグレータロッドと超音波良伝達物質との界面においても全反射されるようになる。このため、迷光の発生を抑制することが可能となり、光利用効率の低下を抑制することが可能となる。
【００２３】
超音波良伝達物質としては、医療・美容分野等で用いられるジェルを好ましく例示することができる。なお、長期安定性を考慮すると、蒸気圧の小さな物質からなるジェルを用いることがより好ましい。
【００２４】
本発明のプロジェクタにおいては、前記インテグレータロッドの光射出側に配置され、前記インテグレータロッドからの光をさらに均一な強度分布を有する光に変換する光均一化光学素子をさらに備えることが好ましい。
【００２５】
このように構成することにより、光均一化光学素子の働きによって、画像形成領域に照射される光の面内光強度分布をさらに均一なものとすることが可能となる。
【００２６】
ところで、インテグレータロッド単独で所定の光均一化効果を得るようにした場合、インテグレータロッドの長さを比較的長くする必要がある。これに対し、本発明のプロジェクタによれば、光均一化光学素子による光均一化効果によって、インテグレータロッドの長さを比較的短くすることが可能となり、照明装置の小型化を図ることが可能となる。
【００２７】
本発明のプロジェクタにおいては、前記光均一化光学素子は、前記インテグレータロッドから射出される光の面内光強度分布に応じて光透過率が調整された光透過率調整部材又は前記インテグレータロッドから射出される光を拡散させる光拡散部材であることが好ましい。
【００２８】
光透過率調整部材としては、インテグレータロッドから射出される光の面内光強度分布のパターンとは逆パターンの光透過率分布を有するＮＤフィルタやダイクロイックフィルタなどを好適に用いることができる。
光拡散部材としては、表面を光拡散面とした部材、光拡散機能を有する粒状体を表面又は内部に含む部材、フレネルレンズ又はマイクロプリズムアレイなどを好適に用いることができる。なお、マイクロプリズムアレイとは、表面にプリズム状物を複数配置したものであり、光拡散機能を有するものである。
【００２９】
本発明のプロジェクタにおいては、前記照明装置として、複数の色光を射出する複数の照明装置を備え、前記電気光学変調装置として、前記複数の照明装置から射出される複数の色光をそれぞれの色光に対応する画像情報に応じて変調する複数の電気光学変調装置を備え、前記複数の電気光学変調装置で変調されたそれぞれの色光を合成するクロスダイクロイックプリズムをさらに備えることが好ましい。
【００３０】
このように構成することにより、高輝度かつコンパクトなプロジェクタを、画像品質の優れた（例えば３板式の）フルカラープロジェクタとすることができるようになる。
【発明を実施するための最良の形態】
【００３１】
以下、本発明のプロジェクタについて、図に示す実施の形態に基づいて説明する。
【００３２】
［実施形態１］
図１は、実施形態１に係るプロジェクタ１０００の光学系を示す図である。図２は、インテグレータロッド３０Ｒを説明するために示す図である。図２（ａ）はインテグレータロッド３０Ｒの斜視図であり、図２（ｂ）はインテグレータロッド３０Ｒの光射出面３４Ｒを示す図であり、図２（ｃ）は液晶装置４００Ｒにおける画像形成領域Ｓを示す図である。
【００３３】
実施形態１に係るプロジェクタ１０００は、図１に示すように、赤色光用の照明装置１００Ｒと、緑色光用の照明装置１００Ｇと、青色光用の照明装置１００Ｂと、照明装置１００Ｒ，１００Ｇ，１００Ｂからの３つの色光のそれぞれを画像情報に応じて変調する電気光学変調装置としての液晶装置４００Ｒ，４００Ｇ，４００Ｂと、液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００３４】
赤色光用の照明装置１００Ｒは、赤色光を射出するＬＤ光源１０Ｒと、ＬＤ光源１０Ｒからの射出光の角度を変換して射出する複数の小レンズ２２Ｒを有するレンズアレイ２０Ｒと、レンズアレイ２０Ｒからの光をより均一な強度分布を有する光に変換する機能を有するインテグレータロッド３０Ｒと、インテグレータロッド３０Ｒの光射出側に配置される光透過率調整部材４０Ｒとを有する。
【００３５】
ＬＤ光源１０Ｒは、複数の発光部１２Ｒと、ＬＤ基板１４Ｒと、放熱部（図示せず。）とを有する。複数の発光部１２Ｒは、二次元状に配列されている。
ＬＤ光源１０Ｒは、ここでは図示による説明を省略するが、液晶装置４００Ｒにおける画像形成領域Ｓ（図２（ｃ）参照。）の大きさよりも大きな面積を有している。
【００３６】
レンズアレイ２０Ｒは、ＬＤ光源１０Ｒにおける各発光部１２Ｒに対応して複数の小レンズ２２Ｒが配列された構成を有している。レンズアレイ２０Ｒは、ＬＤ光源１０Ｒから射出される光の角度をインテグレータロッド３０Ｒに適した角度に変換する角度変換素子としての機能を有する。
【００３７】
インテグレータロッド３０Ｒは、レンズアレイ２０Ｒからの光を内面で多重反射させることにより、レンズアレイ２０Ｒからの光をより均一な強度分布を有する光に変換する機能を有する光学部材である。インテグレータロッド３０Ｒは、図１及び図２に示すように、光路後段に向けて細くなるようなテーパ形状を有している。インテグレータロッド３０Ｒの光入射面３２Ｒは、ＬＤ光源１０Ｒの大きさに対応した形状を有しており、光射出面３４Ｒは、図２（ｂ）及び図２（ｃ）に示すように、液晶装置４００Ｒにおける画像形成領域Ｓと略同一の平面形状を有している。インテグレータロッド３０Ｒとしては、例えば、中実のガラスロッドを好適に用いることができる。
【００３８】
インテグレータロッド３０Ｒの光射出側には、光均一化光学素子として、光透過率調整部材４０Ｒが配置されている。光透過率調整部材４０Ｒとしては、インテグレータロッド３０Ｒから射出される光の面内光強度分布のパターンとは逆パターンの光透過率分布を有するＮＤフィルタなどを好適に用いることができる。
【００３９】
緑色光用の照明装置１００Ｇ及び青色光用の照明装置１００Ｂは、赤色光用の照明装置１００Ｒとほぼ同じ構成を有しているため、詳細な説明は省略する。
【００４０】
液晶装置４００Ｒ，４００Ｇ，４００Ｂは、画像情報に応じて照明光束を変調するものであり、照明装置１００Ｒ，１００Ｇ，１００Ｂの照明対象となる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像情報に従って、入射側偏光板から射出された１種類の直線偏光の偏光方向を変調する。
【００４１】
また、図１に示すように、照明装置１００Ｒ，１００Ｇ，１００Ｂと各液晶装置４００Ｒ，４００Ｇ，４００Ｂとの間には、それぞれ入射側偏光板４１０Ｒ，４１０Ｇ，４１０Ｂが介在配置され、各液晶装置４００Ｒ，４００Ｇ，４００Ｂとクロスダイクロイックプリズム５００との間には、それぞれ射出側偏光板４２０Ｒ，４２０Ｇ，４２０Ｂが介在配置されている。これら入射側偏光板４１０Ｒ，４１０Ｇ，４１０Ｂ、液晶装置４００Ｒ，４００Ｇ，４００Ｂ及び射出側偏光板４２０Ｒ，４２０Ｇ，４２０Ｂによって入射する各色光の光変調が行われる。
【００４２】
クロスダイクロイックプリズム５００は、射出側偏光板４２０Ｒ，４２０Ｇ，４２０Ｂから射出された各色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００４３】
クロスダイクロイックプリズム５００から射出されたカラー画像は、投写光学系６００によって拡大投写され、スクリーンＳＣＲ上で大画面画像を形成する。
【００４４】
以上のように構成された実施形態１に係るプロジェクタ１０００によれば、光源として、二次元状に配列された複数の発光部１２Ｒ，１２Ｇ，１２Ｂを有し、液晶装置４００Ｒ，４００Ｇ，４００Ｂにおける画像形成領域Ｓの大きさよりも大きな面積を有するＬＤ光源１０Ｒ，１０Ｇ，１０Ｂを用いているため、照明装置１００Ｒ，１００Ｇ，１００Ｂから射出される照明光束の総光量を増大することが可能となり、プロジェクタ１０００の高輝度化を図ることが可能となる。
【００４５】
また、実施形態１に係るプロジェクタ１０００によれば、光路後段に向けて細くなるようなテーパ形状を有するインテグレータロッド３０Ｒ，３０Ｇ，３０Ｂを備えているため、インテグレータロッド３０Ｒ，３０Ｇ，３０Ｂに入射する光の大きさに比べてインテグレータロッド３０Ｒ，３０Ｇ，３０Ｂから射出される光の大きさを小さなものにすることができる。すなわち、プロジェクタ１０００の高輝度化を図るためにＬＤ光源１０Ｒ，１０Ｇ，１０Ｂの面積が比較的大きくなったとしても、インテグレータロッド３０Ｒ，３０Ｇ，３０Ｂから射出される光の断面積を小さなものとすることができる。その結果、小さな画像形成領域Ｓを有する液晶装置４００Ｒ，４００Ｇ，４００Ｂを用いることが可能となるため、コンパクトなプロジェクタを実現することが可能となる。
【００４６】
したがって、実施形態１に係るプロジェクタ１０００は、高輝度かつコンパクトなプロジェクタとなる。
【００４７】
また、実施形態１に係るプロジェクタ１０００によれば、インテグレータロッド３０Ｒ，３０Ｇ，３０Ｂの働きによって、画像形成領域Ｓに照射される光の面内光強度分布を比較的均一なものとすることが可能となる。
【００４８】
また、実施形態１に係るプロジェクタ１０００によれば、レンズアレイ２０Ｒ，２０Ｇ，２０Ｂにおける複数の小レンズ２２Ｒ，２２Ｇ，２２Ｂの機能によって、ＬＤ光源１０Ｒ，１０Ｇ，１０Ｂの各発光部１２Ｒ，１２Ｇ，１２Ｂから射出される発散光の角度を変換することが可能となる。これにより、インテグレータロッド３０Ｒ，３０Ｇ，３０Ｂに入射する光を全反射条件を満たすように変換することが可能となるため、インテグレータロッド３０Ｒ，３０Ｇ，３０Ｂにおける光損失を抑制することが可能となる。
【００４９】
実施形態１に係るプロジェクタ１０００においては、インテグレータロッド３０Ｒ，３０Ｇ，３０Ｂからの光をさらに均一な強度分布を有する光に変換する光透過率調整部材４０Ｒ，４０Ｇ，４０Ｂをさらに備えているため、画像形成領域Ｓに照射される光の面内光強度分布をさらに均一なものとすることが可能となる。
【００５０】
ところで、インテグレータロッド単独で所定の光均一化効果を得るようにした場合、インテグレータロッドの長さを比較的長くする必要がある。これに対し、実施形態１に係るプロジェクタ１０００によれば、光透過率調整部材４０Ｒ，４０Ｇ，４０Ｂによる光均一化効果によって、インテグレータロッド３０Ｒ，３０Ｇ，３０Ｂの長さを比較的短くすることが可能となり、照明装置１００Ｒ，１００Ｇ，１００Ｂの小型化を図ることが可能となる。
【００５１】
［実施形態２］
図３は、実施形態２に係るプロジェクタ１００２の光学系を示す図である。なお、図３において、図１と同一の部材については同一の符号を付し、詳細な説明は省略する。
【００５２】
実施形態２に係るプロジェクタ１００２は、基本的には実施形態１に係るプロジェクタ１０００とよく似た構成を有しているが、音響波供給装置及び制御装置をさらに備えている点で実施形態１に係るプロジェクタ１０００とは異なっている。
【００５３】
すなわち、実施形態２に係るプロジェクタ１００２においては、図３に示すように、インテグレータロッド３０Ｒ，３０Ｂ，３０Ｇに配設される音響波供給装置５０Ｒ，５０Ｇ，５０Ｂと、音響波供給装置５０Ｒ，５０Ｇ，５０Ｂを制御する制御装置（図示せず。）とをさらに備えている。
【００５４】
音響波供給装置５０Ｒは、超音波良伝達物質としてのジェルｇを介してインテグレータロッド３０Ｒの側面に配設されている。そして、インテグレータロッド３０Ｒに対して超音波からなる音響波を供給することによりインテグレータロッド３０Ｒに定在波を形成する。他の音響波供給装置５０Ｇ，５０Ｂも、音響波供給装置５０Ｒと同様の構成を有している。
【００５５】
ジェルｇとしては、インテグレータロッド３０Ｒ，３０Ｇ，３０Ｂの媒質の屈折率よりも小さな屈折率を有するものを用いている。
また、ジェルｇとしては、医療・美容分野等で用いられるジェルを好ましく例示することができる。なお、長期安定性を考慮すると、蒸気圧の小さな物質からなるジェルを用いることがより好ましい。
【００５６】
制御装置（図示せず。）は、定在波の周期が６０Ｈｚ以上の周波数で変調されるように音響波供給装置５０Ｒ，５０Ｇ，５０Ｂを制御して、音響波供給装置５０Ｒ，５０Ｇ，５０Ｂから供給される超音波の周波数を６０Ｈｚ以上の周波数で変調する。その結果、例えば、発振周波数が２０万Ｈｚである超音波を３００Ｈｚの変調周波数で変調することにより、１５万Ｈｚ〜２５万Ｈｚの範囲で高速変調された超音波からなる音響波をインテグレータロッド３０Ｒ，３０Ｇ，３０Ｂに対して供給することが可能となる。なお、当該発振周波数及び当該変調周波数の値は、所定範囲内から適宜選択することが可能である。
【００５７】
このように、実施形態２に係るプロジェクタ１００２は、実施形態１に係るプロジェクタ１０００とは、音響波供給装置及び制御装置をさらに備えている点が異なっているが、その他の点については実施形態１に係るプロジェクタ１０００と同様の構成を有しているため、実施形態１に係るプロジェクタ１０００の場合と同様に、高輝度かつコンパクトなプロジェクタとなる。
【００５８】
また、実施形態２に係るプロジェクタ１００２においては、インテグレータロッド３０Ｒ，３０Ｇ，３０Ｂに定在波を形成する音響波供給装置５０Ｒ，５０Ｇ，５０Ｂを備えるとともに、定在波の周期が６０Ｈｚ以上の周波数で変調されるように音響波供給装置５０Ｒ，５０Ｇ，５０Ｂを制御する制御装置を備えているため、例えば時刻Ｔ１においてＬＤ光源１０Ｒにおける各発光部１２Ｒからの光が互いに干渉して画像形成領域Ｓにスペックルノイズが発生したとしても、時刻Ｔ２（時刻Ｔ１から所定時間経過した時刻）においては時刻Ｔ１のときとは異なる干渉パターンのスペックルノイズが発生するため、所定時間で平均化してみればスペックルノイズが目立たなくなる。すなわち、画像形成領域Ｓにスペックルノイズが発生したとしても、このようなスペックルノイズを人間の目に見えない速さで高速変調することで画像形成領域Ｓにおけるスペックルノイズに起因した照度むらを低減することが可能となる。
【００５９】
実施形態２に係るプロジェクタ１００２においては、音響波供給装置５０Ｒ，５０Ｇ，５０Ｂは、ジェルｇを介してインテグレータロッド３０Ｒ，３０Ｇ，３０Ｂに配設されているため、インテグレータロッド３０Ｒ，３０Ｇ，３０Ｂに音響波を効率的に供給することが可能となり、少ないエネルギーでかつ大きな効果をもって画像形成領域Ｓにおけるスペックルノイズに起因した照度むらを低減することが可能となる。
【００６０】
実施形態２に係るプロジェクタ１００２においては、ジェルｇの屈折率は、インテグレータロッド３０Ｒ，３０Ｇ，３０Ｂの媒質の屈折率よりも小さいため、ＬＤ光源１０Ｒ，１０Ｇ，１０Ｂ（レンズアレイ２０Ｒ，２０Ｇ，２０Ｂ）からの光はインテグレータロッド３０Ｒ，３０Ｇ，３０Ｂとジェルｇとの界面においても全反射されるようになる。このため、迷光の発生を抑制することが可能となり、光利用効率の低下を抑制することが可能となる。
【００６１】
以上、本発明のプロジェクタ及び照明装置を上記の各実施形態に基づいて説明したが、本発明は上記の各実施形態に限定されるものではなく、その要旨を逸脱しない範囲において種々の態様において実施することが可能であり、例えば次のような変形も可能である。
【００６２】
（１）上記各実施形態のプロジェクタ１０００，１００２においては、光均一化光学素子として、インテグレータロッドから射出される光の面内光強度分布に応じて光透過率が調整された光透過率調整部材を用いたが、本発明はこれに限定されるものではなく、インテグレータロッドから射出される光を拡散させる光拡散部材を用いてもよい。
【００６３】
（２）上記実施形態２に係るプロジェクタ１００２においては、音響波供給装置５０Ｒ，５０Ｇ，５０Ｂは、ジェルｇを介してインテグレータロッド３０Ｒ，３０Ｇ，３０Ｂに配設されているが、本発明はこれに限定されるものではなく、インテグレータロッド３０Ｒ，３０Ｇ，３０Ｂに対して密着して配設されていることも好ましい。また、上記実施形態２に係るプロジェクタ１００２においては、音響波供給装置５０Ｒ，５０Ｇ，５０Ｂはインテグレータロッドの側面に配設されているが、本発明はこれに限定されるものではなく、インテグレータロッドの側面以外の部分に配設されていてもよい。さらにまた、上記実施形態２に係るプロジェクタ１００２においては、１つのインテグレータロッドに対して１つの音響波供給装置が配設されているが、本発明はこれに限定されるものではなく、１つのインテグレータロッドに対して複数の音響波供給装置が配設されていてもよい。
【００６４】
（３）上記実施形態１に係るプロジェクタ１０００においては、インテグレータロッドとして、内面全反射タイプの中実のガラスロッドを用いているが、本発明はこれに限定されるものではなく、例えば、４枚の反射ミラーにおける反射面を内側に向けて貼り合わせた筒状のライトトンネルなどの中空のロッドを用いてもよい。
【００６５】
（４）上記各実施形態のプロジェクタ１０００，１００２においては、レンズアレイ２０Ｒ，２０Ｇ，２０Ｂとインテグレータロッド３０Ｒ，３０Ｇ，３０Ｂとが離隔して配置されている場合を例示して説明したが、本発明はこれに限定されるものではなく、レンズアレイ２０Ｒ，２０Ｇ，２０Ｂとインテグレータロッド３０Ｒ，３０Ｇ，３０Ｂとが接着層を介して接着されていてもよい。
【００６６】
（５）上記各実施形態のプロジェクタ１０００，１００２においては、角度変換素子として、ＬＤ光源の各発光部（ＬＤ基板）とは別体として配設され複数の小レンズを有するレンズアレイ２０Ｒ，２０Ｇ，２０Ｂを例示して説明したが、本発明はこれに限定されるものではなく、ＬＤ光源の各発光部（ＬＤ基板）と一体となって配設される複数の小レンズからなる角度変換素子を用いてもよい。
【００６７】
（６）上記各実施形態のプロジェクタ１０００，１００２は透過型のプロジェクタであるが、本発明はこれに限定されるものではなく、反射型のプロジェクタにも適用することが可能である。ここで、「透過型」とは、透過型の液晶装置等のように光変調手段としての電気光学変調装置が光を透過するタイプであることを意味しており、「反射型」とは、反射型の液晶装置のように光変調手段としての電気光学変調装置が光を反射するタイプであることを意味している。反射型のプロジェクタにこの発明を適用した場合にも、透過型のプロジェクタと同様の効果を得ることができる。 
【００６８】
（７）上記各実施形態のプロジェクタ１０００，１００２においては、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【００６９】
（８）上記各実施形態のプロジェクタ１０００，１００２においては、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【００７０】
（９）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【００７１】
【図１】実施形態１に係るプロジェクタ１０００の光学系を示す図。
【図２】インテグレータロッド３０Ｒを説明するために示す図。
【図３】実施形態２に係るプロジェクタ１００２の光学系を示す図。
【符号の説明】
【００７２】
１０Ｒ，１０Ｇ，１０Ｂ…ＬＤ光源、１２Ｒ，１２Ｇ，１２Ｂ…発光部、１４Ｒ，１４Ｇ，１４Ｂ…ＬＤ基板、２０Ｒ，２０Ｇ，２０Ｂ…レンズアレイ、２２Ｒ，２２Ｇ，２２Ｂ…小レンズ、３０Ｒ，３０Ｇ，３０Ｂ…インテグレータロッド、３２Ｒ…（インテグレータロッドの）光入射面、３４Ｒ…（インテグレータロッドの）光射出面、４０Ｒ，４０Ｇ，４０Ｂ…光透過率調整部材、５０Ｒ，５０Ｇ，５０Ｂ…音響波供給装置、１００Ｒ，１００Ｇ，１００Ｂ，１０２Ｒ，１０２Ｇ，１０２Ｂ…照明装置、４００Ｒ，４００Ｇ，４００Ｂ…液晶装置、４１０Ｒ，４１０Ｇ，４１０Ｂ…入射側偏光板、４２０Ｒ，４２０Ｇ，４２０Ｂ…射出側偏光板、５００…クロスダイクロイックプリズム、６００…投写光学系、１０００，１００２…プロジェクタ、ｇ…ジェル、Ｓ…画像形成領域、ＳＣＲ…スクリーン
【図１】
2007333774.tif 000003
【図３】
2007333774.tif 000004
【図２】
2007333774.tif 000005